(57)【要約】【課題】ホットスティックの挿脱作業を安全性の高い状態で容易に行うことである。【解決手段】ホットスティック１の下端を受ける受面３を有して上方に開口したホットスティック収納部９の前面７に、前記ホットスティック１を立てたまま横滑り状態で挿脱するホットスティック通過部１０を形成し、前記ホットスティック収納部９の少なくとも上方に前記ホットスティック１の収納位置に向けて前記ホットスティック１を案内するとともに抜き出し方向へは保持するように片持状態で鉤形に湾曲した保持体１２を設けた。【選択図】図１
2007152468.tif 000002
【特許請求の範囲】
【請求項１】
ホットスティックの下端を受ける受面を有して上方に開口したホットスティック収納部の前面に、前記ホットスティックを立てたまま横滑り状態で挿脱するホットスティック通過部を形成し、前記ホットスティック収納部の少なくとも上方に前記ホットスティックの収納位置に向けて前記ホットスティックを案内するとともに抜き出し方向へは保持するように片持状態で鉤形に湾曲した保持体を設けたことを特徴とするホットスティック収納袋。
【請求項２】
前記ホットスティック収納部には一本のホットスティックのみしか収納されないことを特徴とする請求項１記載のホットスティック収納袋。
【請求項３】
前記ホットスティック収納部の下部から前記保持体の上部までが、連続した部材により形成されていることを特徴とする請求項１又は２記載のホットスティック収納袋。
【請求項４】
前記ホットスティック通過部は上方に向うにつれて広く形成されていることを特徴とする請求項３記載のホットスティック収納袋。
【請求項５】
前記ホットスティック収納部および前記保持体は、軟性もしくは屈曲可能な素材により構成され、横方向に伸縮することを特徴とする請求項１〜４のいずれか一に記載のホットスティック収納袋。
【請求項６】
前記ホットスティック収納部の前面にベルトを掛け渡すようにしたことを特徴とする請求項１〜５のいずれか一に記載のホットスティック収納袋。
【請求項７】
請求項１〜６記載のホットスティック収納袋が横方向に並設され、一体化されてなるホットスティック収納具。
【請求項８】
請求項１〜６記載のホットスティック収納袋が、前記ホットスティック通過部を外側にして放射状に配列され、一体化されてなるホットスティック収納具。
【発明の詳細な説明】
【技術分野】
【０００１】
本発明は、電柱間に架設されている送配電線を活線の状態で種々の作業をするためのホットスティックと称される長尺状の操作棒による工具を収納するために使用されるホットスティック収納袋及びホットスティック収納具に関するものである。
【背景技術】
【０００２】
現在、使用されているホットスティック収納袋は、上部が開口した袋状の形状であり、長尺状の操作棒としてのホットスティックを垂直方向に上下動させることにより上部の開口から出し入れしているものが多い。また、袋の前面を開放してホットスティックを水平方向に動かして収納する形式のものもあるが、このような形状のものにおいては前方への倒れ込みを防止するために袋の前面にバンド等を設けて前面の開放部分を閉ざしている。さらに、ホットスティック収納袋の収納部には仕切りが設けられておらず、互いに接触する状態で複数本のホットスティックを収納している。
【０００３】
また、特許文献１に記載されたものは、縦長長方形の背板部の前面にその前面を囲う一組の縦長シート部を設け、これらの各縦長シート部はそれぞれ後側縁を背板部に固着し、前側縁はそれぞれ互いに面ファスナー等により係脱自在に止着し、また、背板部の前面下側部には長尺工具としてのホットスティックの下端を収納する収納部を設けてなり、各縦長シート部の前側縁を開けることにより前側からホットスティックを出し入れすることができるようにした技術が開示されている。
【０００４】
【特許文献１】特開２０００−１０３４８５公報
【発明の開示】
【発明が解決しようとする課題】
【０００５】
ホットスティックを垂直方向に移動させて上部の開口から出し入れする形式のホットスティック収納袋においては、少なくともホットスティック収納袋の上端からホットスティックの長さ分だけは上方に飛び出すものであり、上方の自由な作業空間を大きく必要とする。そのため、送配電線を活線の状態で種々の作業をする場合に、ホットスティック挿脱時にそのホットスティックが送配電線に接触し易く危険である。また、上方に障害物があるということは、ホットスティックの出し入れの作業がやりにくいという問題もある。
【０００６】
また、ホットスティック収納袋には仕切りのない状態で複数個のホットスティックが収納されているので、ホットスティックの出し入れ操作中にそれぞれのホットスティックが干渉するという問題もある。すなわち、ホットスティックは作業を行うための操作棒であるため、ツバ等の作業部位が側方に突出した状態で設けられており、出し入れのために一本のホットスティックを垂直方向に動かすと、隣り合って収納されていたホットスティックのツバ等に干渉してそのホットスティックも動かしてしまうことがあり、場合によっては取り出すべきホットスティックに絡み付いて不必要なホットスティックをも引き出して落下させてしまうような危険性がある。
【０００７】
さらに、袋の前面を開放してホットスティックを水平方向に動かして収納する形式のものにおいては、袋の前面にバンド等を設けて前面の開放部分を閉ざして前方への倒れ込みを防止しているものであるが、作業現場においてホットスティックを挿脱する場合には、バンドを係脱するために両手を使用しなければならない。そのため、作業現場における作業員の安全性を確保することが難しい。
【０００８】
つぎに、特許文献１に記載された構造のものは、収納部の前方に設けられた縦長シートが面ファスナーにより係脱自在に取り付けられているため、その開放動作に両手を必要とし、作業現場における作業員の安全性を確保することが難しい。しかも、収納部には複数本のホットスティックを収納することができるので、水平方向に動かして収納部に挿脱することができても不要なホットスティックを不用意に落下させてしまうおそれは多分にあるものであり、この観点からも安全性の高いものではない。
【課題を解決するための手段】
【０００９】
請求項１記載の発明は、ホットスティックの下端を受ける受面を有して上方に開口したホットスティック収納部の前面に、前記ホットスティックを立てたまま横滑り状態で挿脱するホットスティック通過部を形成し、前記ホットスティック収納部の少なくとも上方に前記ホットスティックの収納位置に向けて前記ホットスティックを案内するとともに抜き出し方向へは保持するように片持状態で鉤形に湾曲した保持体を設けた。
【００１０】
請求項２記載の発明は、請求項１記載のホットスティック収納袋において、前記ホットスティック収納部には一本のホットスティックのみしか収納されないことを特徴とする。
【００１１】
請求項３記載の発明は、請求項１又は２記載のホットスティック収納袋において、前記ホットスティック収納部の下部から前記保持体の上部までが、連続した部材により形成されていることを特徴とする。
【００１２】
請求項４記載の発明は、請求項３記載のホットスティック収納袋において、前記ホットスティック通過部は上方に向うにつれて広く形成されていることを特徴とする。
【００１３】
請求項４記載の発明は、請求項１又は２記載のホットスティック収納袋において、複数個のホットスティック収納部は、放射状に配列されていることを特徴とする。
【００１４】
請求項５記載の発明は、請求項１〜４のいずれか一に記載のホットスティック収納袋において、前記ホットスティック収納部および前記保持体は、軟性もしくは屈曲可能な素材により構成され、横方向に伸縮することを特徴とする。
【００１５】
請求項６記載の発明は、請求項１〜５のいずれか一に記載のホットスティック収納袋において、前記ホットスティック収納部の前面にベルトを掛け渡すようにしたことを特徴とする。
【００１６】
請求項７記載の発明は、請求項１〜６記載のホットスティック収納袋が横方向に並設され、一体化されてなるホットスティック収納具である。
【００１７】
請求項８記載の発明は、請求項１〜６記載のホットスティック収納袋が、前記ホットスティック通過部を外側にして放射状に配列され、一体化されてなるホットスティック収納具である。
【発明の効果】
【００１８】
請求項１記載の発明によれば、ホットスティック収納部の前面に、前記ホットスティックを立てたまま横滑り状態で挿脱するホットスティック通過部を形成したので、ホットスティックを前面側から水平に動かすだけで挿脱することができ、これにより、上方空間を広く必要とすることはなく、また、ホットスティックの収納位置に向けてホットスティックを案内するとともに抜き出し方向へは保持するように片持状態で鉤形に湾曲した保持体が形成されていることにより、ホットスティック収納時には保持体により案内させて収納位置に移動させることができ、かつ、ホットスティックを逆方向に動かすことにより、その取出を簡単に行うことができ、ホットスティックの挿脱をきわめて作業性良く行うことができる。
【００１９】
請求項２記載の発明によれば、ホットスティック収納部には一本のホットスティックのみしか収納されないため、他のホットスティックを不用意に落下させてしまうような事故を防止することができる。
【００２０】
請求項３記載の発明によれば、ホットスティック収納部の下部から上まで連続した部材により保持体を形成したので、ホットスティック通過部とホットスティック収納部との区分を明確にしてホットスティック挿脱時の操作性を高めることができるものである。
【００２１】
請求項４記載の発明によれば、ホットスティック通過部が上方に向うにつれて広く形成されているため、ホットスティックを取り出すときの上方の空間が広くて取出作業を容易に行うことができるものである。
【００２２】
請求項５記載の発明によれば、ホットスティック収納部および保持体は、軟性もしくは屈曲可能な素材により構成され、横方向に伸縮するため、運搬時には縮小させて荷姿を小さくすることができる。
【００２３】
請求項６記載の発明によれば、ホットスティック収納部の前面にベルトを掛け渡すようにしたので、使用時の形状安定性が良く、また、運搬時には全体を縮小させて荷姿を小さくすることができる。
【００２４】
請求項７記載の発明によれば、請求項１〜６記載のホットスティック収納袋が横方向に並設され、一体化されてなるホットスティック収納具であるので、複数本のホットスティックを収納及び運搬することが容易なものである。
【００２５】
請求項８記載の発明によれば、ホットスティック収納袋が、前記ホットスティック通過部を外側にして放射状に配列され、一体化されてなるホットスティック収納具であるため、コンパクトにまとめて複数本のホットスティックを収納及び運搬することが容易なものである。
【発明を実施するための最良の形態】
【００２６】
本発明の第一の実施の態様を図１乃至図３に基づいて説明する。まず、図示のものは、ホットスティック収納具Ａであり、このホットスティック収納具Ａは、長尺状の操作棒による工具としてのホットスティック１が収納保持される収納袋２の集合体であり、一体化されているものである。これらの収納袋２は、帆布等の厚い布、すなわち、軟性もしくは屈曲可能な素材  を縫い合わせることにより形成されている。そして、ホットスティック１の下端を受ける受面として作用する平面的な水平な底面３と垂直な背面４と両側に位置する側面５とが一体的に形成され、中間部には４枚の仕切り面６が設けられている。左側の端部に設けられた前記側面５と中間の仕切り面６とからは前方に位置する前面７が連設されている。また、前記仕切り面６と右側の前記側面５との前方には、前記前面７に対向する長さの短い抜け止め突片８が連設されている。このように底面３と背面４と側面４と仕切り面６とにより囲まれた空間がホットスティック収納部９となる。
【００２７】
しかして、前記前面７は、上方に向うにつれて幅が狭くなっており、これらの前面７と前記仕切り面６及び側面４から連設された突片８との間に、上方に向うにつれて幅が広くなるホットスティック通過部１０が形成されている。また、前記前面７の縁部からは、前記ホットスティック収納部９内に位置して前記背面４に向けて直線的に突出し、かつ、前記背面４に達する前の先端部分に前記ホットスティック１を通すことができる通過空間１１を残して左端の側面４及び仕切り面６に向けて鉤型に湾曲する保持体１２が設けられている。この保持体１２は、下から上まで連続しているものである。
【００２８】
ついで、両側の前記側面４の上端中央には、吊り下げバンド１３の端部が結合されている。また、前記側面４の前方と後方とには、上下方向に所定寸法離間させて二個ずつのフック１４が固定されており、これらのフック１４には、ベルト１５が係脱自在に取り付けられている。さらに、前記吊り下げバンド１３は、運搬時に利用される他に、作業現場においては、例えば、電柱１６の係止部１７等に吊り下げるために利用されるものである。
【００２９】
このような構成において、一つのホットスティック収納部９には、原則として一本のホットスティック１が収納されるものである。その収納時の動作を図１及び図３（ａ）に基づいて説明する。まず、収納袋２の前面側からホットスティック１の下端をホットスティック通過部１０の下部空間を経て底面３上を奥まで滑らせる。この状態では、ホットスティック１の上方は、まだ、収納袋２の外部に位置しているので、その上方を保持体１２の外面を滑らせるようにしてホットスティック通過部１０を奥側に移動させ、背面４に近いところまで押し込む。ついで、横方向（図示の状態では左方向）に背面４に沿わせて移動させ、保持体１２の鉤状の先端を回りこませて手前側（図示の状態では手前側）ホットスティック収納部９の保持位置に安定させる。このように、それぞれのホットスティック収納部９に必要に応じて一本ずつのホットスティック１を収納する。ついで、フック１４にベルト１５を係合させて横幅方向に締め付ける。これにより、収納袋２が横方向には蛇腹状に変形するように形成されていることから、図２に示すように、横方向寸法か縮小されると共に、収納したホットスティック１の脱落を防止する。これにより、幅寸法を縮めた状態で運搬すると共に、作業位置で吊り上げ吊り下げの作業をするときの安全性を高める。
【００３０】
しかして、ホットスティック１を使用する作業現場においては、図１に示すように、ベルト１５による収納袋２の締め付けを解除し、必要なホットスティック１を取り出す。このホットスティック１の取り出し作業時のホットスティック１の動きは、図３（ｂ）に示されている。すなわち、ホットスティック１の上端を把持して背面４側に動かし、その背面に沿わせて右側へ移動させて保持体１２による制約を解除し、さらに、その保持体１２に沿わせて手前側に倒してホットスティック通過部１０を通過させる。このとき、ホットスティック１の下端もホットスティック通過部１０を通り、外部に取り出される。
【００３１】
このようなホットスティック１の挿脱時に、ホットスティック１を上下方向に移動させなくても良いため、収納袋２の上部空間が狭くても十分にホットスティック１の挿脱を行うことができ、直上に電線等があっても危険性がない。しかも、一つのホットスティック収納部９には一本のホットスティック１しか収納されていないため、他のホットスティック１に干渉してそのホットスティック１を落下させてしまうような危険性はない。
【００３２】
つぎに、図４に基づいて本発明の第二の実施の態様を説明する。本実施の態様は、ホットスティック１を収納する複数個の収納部を放射状に配設したものである。すなわち、各収納部は、下方の底面３上に仕切り面６、前面７、保持体１２を有してホットスティック通過部１０とホットスティック収納部９とを形成しているものであり、ホットスティック１の挿脱作業は第一の実施の態様と全く同様に行われる。
【００３３】
さらに、図５に基づいて本発明の第三の実施の態様を説明する。本実施の態様は、前面７と保持体１２との上端部分のみを幅の狭い帯状の保持帯１８としたものであり、底面３の前方部分には、高さの低い抜け止め縁１９を立ち上げ形成したものである。そのため、全体的な重量が軽減され、運搬時や吊り上げ吊り下げ時の作業性を向上させる。
【図面の簡単な説明】
【００３４】
【図１】本発明の第一の実施の態様を示すもので、全体の斜視図である。
【図２】収納袋の幅寸法を縮小させた状態の全体の斜視図である。
【図３】（ａ）はホットスティックを収納する時の動きを示す平面図、（ｂ）はホットスティックを取り出すときの動きを示す平面図である。
【図４】本発明の第二の実施の態様を示す平面図である。
【図５】本発明の第三の実施の態様を示す斜視図である。
【符号の説明】
【００３５】
１    ホットスティック
３    受面
７    前面
９    ホットスティック収納部
１０    ホットスティック通過部
１２    保持体
【図１】
2007152468.tif 000003
【図２】
2007152468.tif 000004
【図３】
2007152468.tif 000005
【図４】
2007152468.tif 000006
【図５】
2007152468.tif 000007